(57)【要約】【課題】基材の定着層の上面に浸透層を形成した構造の被記録媒体に対して画像の転写を行った後に、浸透層を簡単に取り除き得る装置を構成する。【解決手段】プリント機構において昇華性インクで画像情報をプリントした被記録媒体Ｍを加熱機構に送る搬送経路に対して、被記録媒体Ｍの端縁に接触することで、被記録媒体Ｍの浸透層１３に浮き上がりを発生させる接触部材３７を備えた。【選択図】　図５
2004025741.tif 000002
【特許請求の範囲】
【請求項１】
基材表面の定着層にフィルム状の浸透層を重ねて成る被記録媒体の浸透層に対して昇華性インクを付与して画像情報をプリントするプリント機構と、このプリント機構で画像情報がプリントされた前記被記録媒体を送る搬送機構と、この搬送機構で送られた前記被記録媒体を加熱することで浸透層にプリントされた画像情報を定着層に転写する加熱機構とを備えている画像形成装置であって、
前記搬送機構の搬送経路に対して、その被記録媒体の搬送方向先端側の端部、若しくは、被記録媒体の搬送方向と平行する側縁部に接触して前記基材から前記浸透層の一部を浮き上がらせる予備剥離手段を備えている画像形成装置。
【請求項２】
前記予備剥離手段が、前記搬送機構で送られる前記被記録媒体の搬送方向の方向先端側端部で、かつ、幅方向の縁部に接触する接触部材で構成されている請求項１記載の画像形成装置。
【請求項３】
前記予備剥離手段が、前記搬送機構の搬送経路を遮断する遮断姿勢と、この搬送経路に送られる前記被記録媒体との接触によって搬送経路への被記録媒体の搬送を許す開放姿勢とに姿勢変更自在、かつ、遮断姿勢に付勢された開閉部材で構成されている請求項１記載の画像形成装置。
【請求項４】
前記予備剥離手段が、被記録媒体の搬送方向と平行する側縁部に接触して前記基材から前記浸透層の一部を浮き上がらせる機能を有し、前記搬送機構で送られる前記被記録媒体の搬送方向と平行する側縁部に接触するガイド部材で構成されている請求項１記載の画像形成装置。
【請求項５】
前記予備剥離手段が、駆動回転するブラシ、あるいは、振動する振動体で構成されている請求項１記載の画像形成装置。
【請求項６】
前記予備剥離手段が、前記搬送機構の搬送方向で前記加熱機構の上流側に配置されている請求項１〜５のいずれか１項に記載の画像形成装置。
【発明の詳細な説明】
【０００１】
【発明の属する技術分野】
本発明は、基材表面の定着層にフィルム状の浸透層を重ねて成る被記録媒体の浸透層に対して昇華性インクを付与して画像情報をプリントするプリント機構と、このプリント機構で画像情報がプリントされた前記被記録媒体を送る搬送機構と、この搬送機構で送られた前記被記録媒体を加熱することで浸透層にプリントされた画像情報を定着層に転写する加熱機構とを備えている画像形成装置に関する。
【０００２】
【従来の技術】
上記のように構成された熱定着装置と類似する技術として特開平１０‐２９７１９７号公報に示されるものが存在する。
【０００３】
この従来の技術では、金属基材（本発明の基材）上に防錆層を兼ねる着色下地層（本発明の定着層）を形成し、この上に光透過性樹脂層としてアクリル系樹脂やポリエステル系樹脂やウレタン系樹脂で成る透明樹脂層を形成し、この上に多孔質アルミナ等を用いたインクジェット受理層（本発明の浸透層）を形成して金属装飾体を構成して成り、この金属装飾体のインクジェット受理層に対して昇華形着色材を用いたインクジェット印刷により着色模様を形成する。この後、この金属装飾体を加熱炉や、ホットプレスで加熱することによりインクジェット受理層の昇華形着色材が昇華して透明樹脂層に入り込み、インクジェット受理層に形成された着色模様が透明受理層に形成される。次に、インクジェット受理層を温水で軟化させた後、布等で拭き取ることによってインクジェット受理層の全てを取り除くことで、着色模様が形成された金属装飾体が完成するものとなっている。
【０００４】
又、可撓性の樹脂シートを基材として用い、この基材の表面に定着層を形成し、更に、この定着層の表面に浸透層（前記受理層と同様の機能を有するもの）を形成し、浸透層に対して昇華性インクでプリントした記録情報を加熱によって定着層に転写定着する被記録媒体は開発中のものであり、この被記録媒体を用い、この被記録媒体の浸透層に対して昇華性インクで記録情報のプリントを行った後に、加熱によって昇華性インクを昇華させて記録情報を定着層に転写定着させる連続した処理を行う装置は開発されていなかった。
【０００５】
【発明が解決しようとする課題】
しかしながら、従来の技術のように、昇華形着色材を用いてインクジェット受理層に対して着色模様を形成した後に、加熱を行うことでインク受理層の昇華形着色材を昇華させて透明樹脂層に転写を行い、この後に、インクジェット受理層を温水で軟化させた後、布等で拭き取る形態で取り除くものでは、取り除くために温水で軟化させる処理を必要とするばかりで無く、拭き取る処理を必要とするため手間が掛かるものであった。特に、拭き取りによって取り除く場合には、取り除き不良を無くすために拭き取りを行う面の全面を丹念に拭き取る必要があり、大きいサイズの被記録媒体を用いた場合には、人為作業に頼らざるを得ない場合も多かった。
【０００６】
又、基材表面の定着層にフィルム状の浸透層を重ねて成る被記録媒体では、浸透層をフィルム状のまま剥離させることが可能であるが、浸透層の厚みが薄く剥離を行う際の作業が行い難い面があった。又、現在開発されている被記録媒体では、加熱による転写定着を行う以前は浸透層の剥離を行いやすいものの、この加熱による転写定着の後には定着層から浸透層が剥がれ難くなり剥離操作に困難性を伴うものもあった。
【０００７】
本発明の目的は、基材の定着層の上面に浸透層を形成した構造の被記録媒体に対して画像の転写を行った後に、浸透層を簡単に取り除き得る装置を合理的に構成する点にある。
【０００８】
【課題を解決するための手段】
本発明の請求項１に係る画像形成装置の特徴、作用・効果は次の通りである。
〔特徴〕
基材表面の定着層にフィルム状の浸透層を重ねて成る被記録媒体の浸透層に対して昇華性インクを付与して画像情報をプリントするプリント機構と、このプリント機構で画像情報がプリントされた前記被記録媒体を送る搬送機構と、この搬送機構で送られた前記被記録媒体を加熱することで浸透層にプリントされた画像情報を定着層に転写する加熱機構とを備えている画像形成装置において、前記搬送機構の搬送経路に対して、その被記録媒体の搬送方向先端側の端部、若しくは、被記録媒体の搬送方向と平行する側縁部に接触して前記基材から前記浸透層の一部を浮き上がらせる予備剥離手段を備えている点にある。
【０００９】
〔作用・効果〕
上記特徴によると、搬送機構で被記録媒体を搬送することにより、その被記録媒体の搬送方向先端側の端部、若しくは、被記録媒体の搬送方向と平行する側縁部に予備剥離手段が接触して基材から浸透層の一部を浮き上がらせる。その結果、被記録媒体の縁部を基材から浮き上がらせ、浸透層の剥離作業を行いやすくする装置が合理的に構成された。
【００１０】
本発明の請求項２に係る画像形成装置の特徴、作用・効果は次の通りである。
〔特徴〕
請求項１記載の画像形成装置において、前記予備剥離手段が、前記搬送機構で送られる前記被記録媒体の搬送方向の方向先端側端部で、かつ、幅方向の縁部に接触する接触部材で構成されている点にある。
【００１１】
〔作用・効果〕
上記特徴によると、搬送機構で被記録媒体を搬送した場合には、予備剥離手段を構成する接触部材が被記録媒体の搬送方向での方向先端側で、かつ、幅方向の縁部、つまり、被記録媒体の角部に接触して浸透層を浮き上がらせるものとなる。その結果、被記録媒体のうち剥離を生じやすい角部の浸透層を積極的に浮き上がらせて浸透層の剥離を一層行いやすくした。
【００１２】
本発明の請求項３に係る画像形成装置の特徴、作用・効果は次の通りである。
〔特徴〕
請求項１記載の画像形成装置において、前記予備剥離手段が、前記搬送機構の搬送経路を遮断する遮断姿勢と、この搬送経路に送られる前記被記録媒体との接触によって搬送経路への被記録媒体の搬送を許す開放姿勢とに姿勢変更自在、かつ、遮断姿勢に付勢された開閉部材で構成されている点にある。
【００１３】
〔作用・効果〕
上記特徴によると、搬送機構で被記録媒体を搬送した場合には、遮断姿勢にある予備剥離手段としての開閉部材に被記録媒体の搬送方向での先端側の端部が接触して浸透層を浮き上がらせ、この後、開閉部材は被記録媒体との接触で開放姿勢に姿勢変更して被記録媒体の通過を許すものとなる。その結果、簡単な構造でありながら被記録媒体の端部の浸透層を積極的に浮き上がらせて浸透層の剥離を一層行いやすくした。
【００１４】
本発明の請求項４に係る画像形成装置の特徴、作用・効果は次の通りである。
〔特徴〕
請求項１記載の画像形成装置において、前記予備剥離手段が、被記録媒体の搬送方向と平行する側縁部に接触して前記基材から前記浸透層の一部を浮き上がらせる機能を有し、前記搬送機構で送られる前記被記録媒体の搬送方向と平行する側縁部に接触するガイド部材で構成されている点にある。
【００１５】
〔作用・効果〕
上記特徴によると、搬送機構で被記録媒体を搬送した場合には、予備剥離手段としてのガイド部材が被記録媒体の搬送方向と平行する側縁部に接触して浸透層の浮き上がらせるものとなる。その結果、被記録媒体の側縁部において搬送方向に沿って浸透層を浮き上がらせて浸透層の剥離を一層行いやすくした。
【００１６】
本発明の請求項５に係る画像形成装置の特徴、作用・効果は次の通りである。
〔特徴〕
請求項１記載の画像形成装置において、前記予備剥離手段が、駆動回転するブラシ、あるいは、振動する振動体で構成されている点にある。
【００１７】
〔作用・効果〕
上記特徴によると、回転するブラシや、振動する振動体が被記録媒体に接触することにより、被記録媒体の搬送力に加えて、この駆動力により積極的に浸透層の剥離を促すものとなる。その結果、剥離を行い難い性質の浸透層であっても確実に浮き上がりを発生させて、浸透層の剥離作業を行いやくすした。
【００１８】
本発明の請求項６に係る画像形成装置の特徴、作用・効果は次の通りである。
〔特徴〕
請求項１〜５のいずれか１項に記載の画像形成装置において、前記予備剥離手段が、前記搬送機構の搬送方向で前記加熱機構の上流側に配置されている点にある。
【００１９】
〔作用・効果〕
上記特徴によると、加熱機構で加熱される以前の被記録媒体の浸透層を予備剥離手段で浮き上がらせるものとなる。その結果、加熱の後に剥離を生じ難くなる性質の被記録媒体であっても、加熱以前に浸透層を浮き上がらせて剥離作業を容易にする。
【００２０】
【発明の実施の形態】
以下、本発明の実施の形態を図面に基づいて説明する。
図１及び図２に示すように、画像処理装置Ｐから転送される画像情報を被記録媒体Ｍに対して昇華性インクでプリントし、かつ、プリントサイズに切断して送り出すプリント手段としてのプリント機構Ｑ１と、このように被記録媒体Ｍに画像情報がプリントされた被記録媒体Ｍを一時的に蓄えた後、送り出すループ形成機構Ｑ２と、このループ形成機構Ｑ２からの被記録媒体Ｍを加熱により転写定着した後に送り出す加熱機構Ｑ３とを備えて画像形成装置Ｑが構成されている。
【００２１】
前記画像処理装置Ｐは汎用コンピュータ１、モニター２、キーボード３、マウス４を有すると共に、現像済みの銀塩式の写真フィルム５の画像情報を光電変換するフィルムスキャナー６と、メディアにデジタル信号で保存された情報を取り出すようにコンピュータ内部のメディアドライブ７とを備えて成っている。尚、メディアドライブ７とは、ＣＤやＣＤ−Ｒ、あるいは、ＭＯ等のディスク状の媒体ばかりでなく、コンパクトフラッシュやスマートメディア等の半導体で成る媒体から情報を取り出すドライブの総称であり、同図にはＣＤ及びＣＤ−Ｒの情報を読出すドライブを示している。
【００２２】
前記被記録媒体Ｍは図３に示すように、ＰＥＴ（ｐｏｌｙｅｔｈｙｌｅｎｅ　ｔｅｒｅｐｈｔｈａｌａｔｅ）製でフィルム状の基材１１の表面に対して、昇華性インクに対して親和性のある樹脂としてポリビニルアルコール系の樹脂やポリビニルアセタール系の樹脂等で定着層１２を形成し、この定着層１２の表面に昇華性インクに対して非親和性となるフッ素樹脂やシリコン樹脂等の薄いフィルム状の浸透層１３を剥離自在に重ね合わせ、全体として柔軟なシート状に構成したものであり、この被記録媒体Ｍは浸透層１３に対して昇華性インクで画像をプリントした後、加熱処理を行うことにより、浸透層１３のインクが昇華して定着層１２に移行し、基材１１の表面に画像情報を定着形成する機能を有し、画像情報を転写定着した後には、浸透層１３をフィルム状のまま剥離して取り除くことにより基材１１の表面の定着層１２に形成された明瞭な画像を露出させるものとなっている。又、この被記録媒体Ｍは、基材１１の素材が昇華性インクに対して親和性を有する性質のものでは、その基材１１の表面をそのまま定着層１２として利用できる。
【００２３】
〔プリント機構〕
前記プリント機構Ｑ１は、本体ケース２０の内部に対して、ロール状に巻き取った被記録媒体Ｍを収納する収納部２１と、この収納部２１に収納したロール状の被記録媒体Ｍから引き出した被記録媒体Ｍを搬送するよう複数の圧着ローラを有する搬送機構２２と、この搬送機構２２で搬送される被記録媒体Ｍに対して画像情報をプリントするインクジェット型のプリントヘッド２３と、これらを制御するプリント制御部２４とを有し、この本体ケース２０を支持脚２５で支持することにより、画像情報がプリントされた被記録媒体Ｍをプリントサイズに切断した状態で比較的高い位置で水平方向に送り出すよう構成されている。
【００２４】
前記プリントヘッド２３は、被記録媒体Ｍの搬送方向（副搬送方向）と直交する姿勢（主走査方向に沿う姿勢）で備えられた一対のガイドロッド２６で案内される状態で、ステッピングモータ型の主走査モータ（図示せず）からの駆動力で主走査方向に往復作動自在に支持され、このプリントヘッド２３に対して取換え自在に備えたインクカートリッジ２７の昇華性インクをピエゾ素子等の吐出機構（図示せず）によりノズルから吹き出して画像情報をプリントするよう構成されている。更に、このプリントヘッド２３には被記録媒体Ｍを切断するための切断刃２８を、被記録媒体Ｍを切断可能な突出位置と、被記録媒体Ｍに接触しない退避位置とに出退自在に備えている。
【００２５】
前記搬送機構２２は、ロール状の被記録媒体Ｍをプリントヘッド２３の部位まで搬送する前搬送機構２２Ａと、このプリントヘッド２３の部位から被記録媒体Ｍを排出口２０Ａまで搬送する後搬送機構２２Ｂとを組み合わせて成り、この前搬送機構２２Ａと、後搬送機構２２Ｂとは夫々ともステッピングモータ型の搬送モータ（図示せず）で独立して駆動自在に構成されている。前記切断刃２８は、カム送りやネジ送り機構を介して切換える切換モータ（図示せず）によって出退自在に構成されている。
【００２６】
又、インクカートリッジ２７のインクとして、シアン（Ｃ）、マゼンタ（Ｍ）、イエロー（Ｙ）、ブラック（Ｋ）の少なくとも４色のインクの他に中間色の２色のインクを用いた６色を使用するよう構成され、この実施の形態で使用される昇華性インクは、８０℃程度で昇華が始まり、前述したようにフィルム状のＰＥＴ製の基材１１を有する被記録媒体Ｍにおいては、１８０℃で２分程度の加熱により最適な転写状態となる。この昇華性インクは１７０℃〜２００℃程度でインクの昇華を無理なく行えるものであり、２００℃では１分程度の加熱、１７０℃では５分程度の加熱で必要とする転写して定着が可能となる。
【００２７】
この構成により、被記録媒体Ｍに対してプリント機構Ｑ１で画像情報のプリントを行う場合には、前記プリント制御部２４が、搬送機構２２を作動させて複数のロール状の被記録媒体Ｍの何れかから引き出した被記録媒体Ｍをプリントヘッド２３の部位まで搬送し、次に、プリントヘッド２３を制御して昇華性インクを被記録媒体Ｍの浸透膜１３に吹き付けて画像情報をプリントする。このように画像情報をプリントする場合には、被記録媒体Ｍの搬送を停止させた状態でプリントヘッド２３を主走査方向に作動させて昇華性インクを被記録媒体Ｍに吹き付け、この走査によりプリントヘッド２３が作動端に達すると、前搬送機構２２Ａと後搬送機構２２Ｂとを等速で同期駆動してプリントヘッド２３におけるプリント幅に対応した量だけ被記録媒体Ｍを搬送する処理が繰り返して行われる。次に、画像情報がプリントされた被記録媒体Ｍのうち、画像情報同士の中間位置等、切断を行うべき部位が切断刃２８の切断位置まで搬送されると、切断刃２８を突出させてプリントヘッド２３を主走査方向に作動させることにより被記録媒体Ｍを切り離すものとなり、この後、前記後搬送機構２２Ｂを作動させて、切り離した被記録媒体Ｍを排出口２０Ａ送り出す制御が実行される。
【００２８】
〔ループ形成機構〕
図２に示すように、前記ループ形成機構Ｑ２は、前記プリント装置の排出口２０Ａから排出された被記録媒体Ｍを受入れて搬送するよう圧着型の第１搬送ローラ３１と第２搬送ローラ３２とを備えると共に、この第２搬送ローラ３２からの被記録媒体Ｍが送られる中央位置に３つの従動ローラ３３を有したターンローラ３４を備え、このターンローラ３４を基準にして搬送方向の上流側の第１ループ形成部Ｌ１と、ターンローラ３４を基準にして搬送方向の下流側の第２ループ形成部Ｌ２とを形成し、これらの下方位置において被記録媒体Ｍを受け止めるケース３５とを備えて構成されている。
【００２９】
図５（イ）、（ロ）に示す、前記第１搬送ローラ３１と第２搬送ローラ３２とはフレーム３６によって回転自在に両端を支持され、これら第１搬送ローラ３１、第２搬送ローラ３２夫々で被記録媒体Ｍを搬送する搬送経路で、第１、第２搬送ローラ３１、３２の中間位置に対し、この搬送経路に搬送される被記録媒体Ｍの搬送方向での方向先端側端部で、かつ、幅方向の縁部、つまり、平面視において角部ＭＣに接触する接触部材３７（予備剥離手段の一例）を備えている。この接触部材３７は平面視において、被記録媒体Ｍの搬送面と平行で、この搬送方向に直交する仮想直線に対して傾斜する接当面３７Ａを有した金属や硬質の樹脂で形成されると共に、バネ板材３８を介して支持体３９に支持されている。この支持体は同図に示す如く一対のプーリ４０に巻回する無端ベルト４１のうち互いに対向する直線部位に支持されており、プーリ４０を駆動する電動モータ４２を正逆何れかの方向に駆動することで接触部材３７同士の間隔を調節できるよう構成されている。
【００３０】
そして、この搬送経路に対してプリント機構Ｑ１の排出口２０Ａから被記録媒体Ｍが搬送される場合には、この被記録媒体Ｍに対応して、前記接触部材３７の接触面３７Ａ同士の間隔を被記録媒体Ｍの幅（搬送方向と直交する方向の寸法）より僅かに狭い幅に設定することにより、図５（イ）に示す如く、この搬送経路に搬送される被記録媒体Ｍの搬送方向の方向先端側の２つ角部ＭＣ（方向先端側端部で、かつ、幅方向の縁部）に接触部材３７が接触することで、この角部ＭＣにダメージを与え、図４に示す如く、この被記録媒体Ｍの角部ＭＣの浸透層１３に浮き上がりを発生させ、加熱処理の後に浸透層１３の剥離を容易にするよう機能する。又、接触部材３７は被記録媒体Ｍの角部ＭＣに接触した後には、図５（ロ）に示すように、バネ板材３８が弾性変形することによって被記録媒体Ｍに強く接触する不都合を回避するものとなっている。
【００３１】
前記ターンローラ３４は、ステッピングモータ型のローラモータ（図示せず）で駆動自在に構成され、このターンローラ３４の外周に対して前記３つの従動ローラ３３を圧接させることで、被記録媒体Ｍを比較的大きい角度でターンローラ３３に巻き付けて被記録媒体Ｍの巻き癖を取り除き得るようにも機能する。
【００３２】
前記第１ループ形成部Ｌ１は、プリント装置から排出された被記録媒体Ｍを下方に案内する第１導入ガイド４３と第１開閉ガイド４４とを備えて成り、この第１開閉ガイド４４は、同図に実線で示す閉じ姿勢と、仮想線で示す開放姿勢とに切換自在に構成されている。前記第２ループ形成部Ｌ２は、第１ループ形成部Ｌ１からターンローラ３４を介して送られた被記録媒体Ｍを前記加熱機構Ｑ３に案内する第２導入ガイド４５と、第２開閉ガイド４６と、排出側の端部に配置された供給ローラ４７を備えて成り、この第２開閉ガイド４６は、同図に実線で示す閉じ姿勢と、仮想線で示す開放姿勢とに切換自在に構成されている。
【００３３】
このループ形成機構Ｑ２では、被記録媒体Ｍの搬送経路の各所に対して被記録媒体Ｍの存否を判別するセンサ（図示せず）を配置すると共に、制御装置（図示せず）を備えており、この制御装置により以下に説明する制御が実行される。つまり、プリント機構Ｑ１の排出口２０Ａから被記録媒体Ｍが排出された場合には、第１可動ガイド４４を同図に実線に示す閉じ姿勢に設定すると同時にターンローラ３４を低速で回転させることにより、この被記録媒体Ｍの先端をターンローラ３４まで案内し、このターンローラ３４と従動ローラ３３とで被記録媒体Ｍの先端部を圧着保持したことが確認されるとターンローラ３４を停止させた後に、第１開閉ガイド４４を同図に仮想線で示す開放姿勢に切換えて、この第１ループ形成機構Ｌ１の空間内に被記録媒体Ｍを垂れ下がる形態で蓄える。次に、プリント機構Ｑ１から送り出された被記録媒体Ｍの後端を検出すると、第２開閉ガイド４６を同図に実線で示す閉じ姿勢に設定した状態でターンローラ３４と、供給ローラ３９との駆動を開始して、被記録媒体Ｍの先端を第２ループ形成機構Ｌ２の供給ローラ４７まで送り、供給ローラ４７で被記録媒体Ｍの先端部を圧着して加熱機構Ｑ３における被記録媒体Ｍの搬送速度と等しい速度で加熱機構Ｑ３に送り込む作動を行いながら、第２開閉ガイド４６を同図に仮想線で示す開放姿勢に切換えた後に、ターンローラ３４を高速回転させて第１ループ形成機構Ｌ１に蓄えられた被記録媒体Ｍを第２ループ形成機構Ｌ２の空間内に被記録媒体Ｍを垂れ下がる形態で蓄える制御が行われる。このように、第１ループ形成機構Ｌ１の被記録媒体Ｍが第２ループ形成機構Ｌ２に送り出されると、プリント機構Ｑ１からの被記録媒体Ｍを前述と同様に第１ループ形成機構Ｌ１に導入する制御が開始されるのである。
【００３４】
〔熱定着機構〕
図２に示すように前記加熱機構Ｑ３は、本体ケース５０の内部に、被記録媒体Ｍを加熱する搬送経路と、加熱空気を供給する断熱材製の加熱ケース５１を備えて構成されている。つまり、本体ケース５０のうちループ形成機構Ｑ２の側の端部には圧着型の導入ローラ５３を備えると共に、この導入ローラ５３からの被記録媒体Ｍを送る搬送経路に沿って複数の搬送ローラ５４を配置し、この搬送経路の下部位置に対して、この搬送経路に送られる被記録媒体Ｍの下面に接触して加熱を行う加熱プレート５５を配置し、搬送経路の上方位置に、搬送経路の側に加熱空気を供給するクロスフローファン５６と、空気を加熱する電気ヒータ５７とを配置してある。尚、被記録媒体Ｍが搬送される搬送経路の近傍位置には空気温度を計測する温度センサ（図示せず）と、又、加熱プレート５５の表面温度を計測する温度センサ（図示せず）とを備えており、これら温度センサで１８０℃の温度を検出するよう、電気ヒータ５７に供給する電力を制御する、あるいは、加熱プレート５５に供給する電力を制御することで加熱温度が維持される。尚、導入された被記録媒体Ｍを２分程度で排出するよう加熱機構Ｑ３の搬送系の搬送速度を設定してある。
【００３５】
この構成により、加熱機構Ｑ３の内部に導入ローラ５３から導入された被記録媒体Ｍは、加熱機構Ｑ３の内部の搬送経路を送られることにより、その下面が加熱プレート５５に接触することによって加熱されると同時に、その上面がクロスフローファン５６から送られる加熱空気によって加熱され、この加熱によって転写定着が実現する。そして、この加熱が行われた被記録媒体Ｍは本体ケース５０から排出されストッカー５８に受け止められる。
【００３６】
このように画像形成装置Ｑが構成されたので、プリント機構Ｑ１で画像情報がプリントされた被記録媒体Ｍは、ループ形成機構Ｑ２の搬送方向の上流位置に配置された予備剥離手段としての一対の接触部材３７に接触して、その角部ＭＣの浸透層１３の一部を浮き上がらせるものとなり、このように浸透層１３の一部が浮き上がった状態の被記録媒体Ｍは加熱機構Ｑ３において加熱により画像情報の転写定着処理を終えて加熱機構Ｑ３から排出された後に、一部が浮き上がった状態の浸透層１３を指で摘んで引き剥がすを行うことや、何らかの器具を用いて引き剥がす操作を行うことで簡単に被記録媒体Ｍから浸透層１３をフィルム状のまま除去できるのである。特に、この種の被記録媒体Ｍは加熱を行うことによって浸透層１３が基材１１の側に固着した剥がし難い性質を有するものが多いものであるが、前述したように加熱機構Ｑ３に供給する以前の被記録媒体Ｍの端部に力を作用させるよう構成することで、複雑な機構を必要とせず、比較的弱い力の作用で浸透層１３に浮き上がりを作り出すものにしている。
【００３７】
〔別実施の形態〕
本発明は上記実施の形態以外に、例えば、以下のように構成して実施することも可能である（前記実施の形態と同じ機能を有するものには前記実施の形態と共通する番号、符号を付している）。
【００３８】
（ａ）図６（イ）、（ロ）に示すように、第２搬送ローラ３２からターンローラ３４に対して被記録媒体Ｍを送る搬送経路に対して、この搬送経路を遮断する遮断姿勢と、この搬送経路に送られる被記録媒体Ｍとの接触によって被記録媒体Ｍの搬送を許す開放姿勢とに切換自在な開閉部材６０（予備剥離手段の一例）を備える。つまり、開閉部材６０は、搬送経路の全幅と略等しい幅を有した金属板や樹脂板のように比較的硬質となる板状の部材を横向き姿勢の支軸６１周りで揺動自在に支持して成ると共に、遮断姿勢の側に向けてバネ６２の付勢力を作用させてある。
【００３９】
この構成により、どのような幅の被記録媒体Ｍであっても搬送時に開閉部材に接触してダメージを与えるものとなり、接触時に作用する力によって搬送方向での方向先端側の端部ＭＥの全幅に亘って浸透層１３に浮き上がりを発生させて、加熱後の剥離作業を容易にする。この後、被記録媒体Ｍが搬送されることにより、開閉部材６０は図６（ロ）に示すように被記録媒体Ｍからの圧力により、被記録媒体Ｍの搬送を許す姿勢に揺動して、被記録媒体Ｍを通過させるものとなる。
【００４０】
（ｂ）図７及び図８に示すように、前記第１搬送ローラ３１と第２搬送ローラ３２とで被記録媒体Ｍを搬送する搬送経路で、第１、第２搬送ローラ３１、３２の中間位置に対し、この搬送経路に搬送される被記録媒体Ｍの幅方向（搬送方向と直交する方向）の両側縁ＭＳに接触してダメージを与える一対のガイド板６５（予備剥離手段の一例）を、間隔を調節自在に備える。夫々のガイド板６５は金属板や樹脂板のように比較的硬質となる板状の部材で成ると共に、夫々のガイド板６５を一対の無端ベルト６６に支持することで間隔を調節自在に構成してある。夫々の無端ベルト６６は、一対のプーリ６７に巻回して成り、この無端ベルト６６のうち互いに対向する直線部位にガイド板６５を支持しおり、プーリ６７を駆動する電動モータ６８を正逆何れかの方向に駆動することでガイド板６５同士の間隔を調節できるよう構成されている。
【００４１】
この構成により、被記録媒体Ｍの幅（搬送方向に直交する方向での寸法）より僅かに狭い幅となるように夫々のガイド板６５同士の間隔を設定することで、このガイド板６５同士の間に被記録媒体Ｍを搬送した場合には、ガイド板６５との接触によって被記録媒体Ｍの幅方向での両側縁ＭＳの浸透層２３に浮き上がりを生じさせて、加熱後の剥離作業を容易にする。
【００４２】
（ｃ）図９及び図１０に示すように、前記第１搬送ローラ３１と第２搬送ローラ３２とで被記録媒体Ｍを搬送する搬送経路で、第１、第２搬送ローラ３１、３２の中間位置に対し、この搬送経路に搬送される被記録媒体Ｍの幅方向（搬送方向と直交する方向）の両側縁ＭＳに接触してダメージを与える一対の接触板７０（予備剥離手段の一例）を、間隔を調節自在に備える。夫々の接触板７０の間隔を調節する構造は別実施の形態（ｂ）と基本的に等しい構造を有しているので詳述しないが、この接触板７０は被記録媒体Ｍと略等しい厚みの素材を用いて成り、この接触板７０に対して被記録媒体Ｍを案内する案内部材７１を接触板７０の表裏両面に備えている。
【００４３】
この構成により、被記録媒体Ｍの幅（搬送方向に直交する方向での寸法）より僅かに狭い幅となるように夫々の接触板７０の内端同士の間隔を設定することで、この接触板７０同士の間に被記録媒体Ｍを搬送した場合には、接触板７０との接触によって被記録媒体Ｍの幅方向での両側縁ＭＳの浸透層２３に浮き上がりを生じさせて、加熱後の剥離作業を容易にする。
【００４４】
（ｄ）図１１に示すように、軸７５周りで駆動回転するブラシ７６（予備剥離手段の一例）を被記録媒体Ｍに接触させることでダメージを与え、被記録媒体Ｍの浸透層２３に浮き上がりを生じさせるよう構成する。同図には被記録媒体Ｍの幅方向での端縁ＭＳに接触させる構成を示しているが、このブラシ７６を被記録媒体Ｍの搬送方向の方向先端側の端縁に接触させるよう構成することも可能である。
【００４５】
（ｅ）図１２に示すように、駆動源８０からの駆動力で被記録媒体Ｍの面と平行する姿勢の面上を振動する振動体８１（予備剥離手段の一例）を被記録媒体Ｍに接触させることでダメージを与え、被記録媒体Ｍの浸透層２３に浮き上がりを生じさせるよう構成する。同図には被記録媒体Ｍの幅方向での端縁ＭＳに接触させる構成を示しているが、この振動体８１を被記録媒体Ｍの搬送方向の方向先端側の端縁に接触させるよう構成することも可能である。
【図面の簡単な説明】
【図１】画像処理装置と画像形成装置とを示す斜視図
【図２】画像形成装置の縦断側面図
【図３】被記録媒体の断面図
【図４】角部に浸透層の浮き上がりを生じた被記録媒体の斜視図
【図５】接触部材の配置、及び、接触部材と被記録媒体との接触状態を示す平面図
【図６】別実施の形態（ａ）において閉じ状態を接触状態の開閉部材を示す断面図
【図７】別実施の形態（ｂ）の構成を示す平面図
【図８】別実施の形態（ｂ）の構成を示す側面図
【図９】別実施の形態（ｃ）の構成を示す平面図
【図１０】別実施の形態（ｃ）の接触板を示す断面図
【図１１】別実施の形態（ｄ）の構成を示す平面図
【図１２】別実施の形態（ｅ）の構成を示す平面図
【符号の説明】
１１　　　　　　基材
１２　　　　　　定着層
１３　　　　　　浸透層
３７　　　　　　接触部材・予備剥離手段
６０　　　　　　開閉部材・予備剥離手段
６５　　　　　　ガイド部材・予備剥離手段
７５　　　　　　ブラシ・予備剥離手段
８１　　　　　　振動体・予備剥離手段
Ｍ　　　　　　　被記録媒体
Ｑ１　　　　　　プリント機構
Ｑ３　　　　　　加熱機構
【図１】
2004025741.tif 000003
【図２】
2004025741.tif 000004
【図３】
2004025741.tif 000005
【図４】
2004025741.tif 000006
【図５】
2004025741.tif 000007
【図６】
2004025741.tif 000008
【図７】
2004025741.tif 000009
【図８】
2004025741.tif 000010
【図９】
2004025741.tif 000011
【図１０】
2004025741.tif 000012
【図１１】
2004025741.tif 000013
【図１２】
2004025741.tif 000014